(57)【要約】  集束放射ビーム（２９）を利用して記録する光学式データ記憶媒体（２０）について記載した。記録の間、波長λの放射ビームが媒体の入射面（２８）を介して入射する。媒体は基板（２１）上に深さgの案内溝を持つ表面（２４）を有する。反転スタック層が基板（２１）上に存在し、このスタックは、複素屈折率    【数1】2005515581.tif 000019がnMλ-i*kMλであり、基板表面（２４）と実質上同位置にある反射層（２４ａ）と、放射ビーム（２９）が入射する、複素屈折率    【数2】2005515581.tif 000020がnTλ-i*kTλである透明層（２２）、ならびに、溝内部での厚さがdRG、溝同士間の位置での厚さがdRLであり、複素屈折率    【数3】2005515581.tif 000021がnRλ-i*kRλである材料からなる記録層（２５）、を有する。記録層は反射層（２４ａ）と透明層（２２）間に置かれる。0.25/(3.0+kMλ2)+0.17＜g*nT/λ＜0.22/(3.0+kMλ2)+0.45、および0.2＜(dRG‐dRL)/g＜0.5、0＜dRG＜λ/nRλ、kRλ＜0.5、2＜nRλ＜2.6のとき、プッシュプルトラッキング信号の符号は反転する。本方法により、反転記録層は、光学式装置の補正をしなくても、適正にトラッキングされ、逆方向の互換性が実現できる。
2005515581.tif 000002
【特許請求の範囲】
【請求項１】
記録の間、媒体の入射面を介して入射する波長λの集束放射ビームを用いて記録する光学式データ記憶媒体であり、少なくとも：
深さgの案内溝を有する表面を持つ基板；および
前記基板上のスタック層；
を有し、スタックが、
nMを複素屈折率
【数１】
2005515581.tif 000015
の実数部、kMを虚数部としたとき、波長λでの複素屈折率
【数２】
2005515581.tif 000016
がnMλ-i*kMλである材料の反射層であって、実質上表面と一致する前記基板表面隣接部に存在する反射層と、
記録の間、放射ビームが入射される、複素屈折率
【数３】
2005515581.tif 000017
がnTλ-i*kTλである材料の透明層と、
前記反射層と前記透明層の間に置かれた、溝内部での厚さがdRG、溝同士間の位置での厚さがdRLであり、複素屈折率
【数４】
2005515581.tif 000018
がnRλ-i*kRλである材料の記録層、
を有し、
0.25/(3.0+kMλ2)+0.17＜g*nT/λ＜0.22/(3.0+kMλ2)+0.45、
0.2＜(dRG-dRL)/g＜0.5、0＜dRG＜λ/nRλ、kRλ＜0.5、2＜nRλ＜2.6
の条件を満足することを特徴とする光学式データ記憶媒体。
【請求項２】
前記反射層が、厚さdM＞20nmおよびg*nT/λ＜0.50を満たす金属層であることを特徴とする請求項1に記載の光学式データ記憶媒体。
【請求項３】
0.25＜g*nT/λおよびkMλ＜0.5であることを特徴とする請求項1に記載の光学式データ記憶媒体。
【請求項４】
λが650〜665nmの範囲から選択され、そのλ値でkRλ≦0.2であることを特徴とする請求項1ないし3いずれかに記載の光学式データ記憶媒体。
【請求項５】
nm単位で、
0.5*dRG+42＜g＜0.5*dRG+125、および
70＜dRG＜130
であることを特徴とする請求項4に記載の光学式データ記憶媒体。
【請求項６】
100nm＜g＜160nmであることを特徴とする請求項5に記載の光学式データ記憶媒体。
【請求項７】
λが400〜410nmの範囲から選択され、そのλ値でkRλ≦0.2であることを特徴とする請求項1ないし3いずれかに記載の光学式データ記憶媒体。
【請求項８】
nm単位で、
0.5*dRG+20＜g＜0.75*dRG+95、および
30nm＜dRG＜80nm
であることを特徴とする請求項7に記載の光学式データ記憶媒体。
【請求項９】
70nm＜g＜110nmであることを特徴とする請求項8に記載の光学式データ記憶媒体。
【請求項１０】
請求項1ないし9いずれかに記載の光学式データ記憶媒体の、集束放射ビーム入射面に対して最近接位置にある光学式データ記憶媒体案内溝部分のトラッキングに適した、光学式データ記憶媒体記録／再生装置における利用。
【発明の詳細な説明】
【技術分野】
【０００１】
本発明は、記録の間、媒体の入射面を介して入射する波長λの集束放射ビームを用いて記録する光学式データ記憶媒体に関するものであり、光学式データ記憶媒体は少なくとも：
深さgの案内溝を有する表面を持つ基板；および
基板上のスタック層；
を有し、スタックが
nMλを波長λでの複素屈折率
【０００２】
【数１】
2005515581.tif 000003
の実数部、kMλを虚数部としたとき、複素屈折率
【０００３】
【数２】
2005515581.tif 000004
がnMλ-i*kMλである材料の反射層であって、実質上表面と一致する前記基板表面隣接部に存在する反射層と、
記録の間、放射ビームが入射される、複素屈折率
【０００４】
【数３】
2005515581.tif 000005
がnTλ-i*kTλである材料の透明層と、
前記反射層と前記透明層の間に置かれた、溝内部での厚さがdRG、溝同士間の位置での厚さがdRLであり、複素屈折率
【０００５】
【数４】
2005515581.tif 000006
がnRλ-i*kRλである材料の記録層、
を有することを特徴とする、光学式データ記憶媒体に関するものである。
【０００６】
本発明はさらにそのような光学式データ記憶媒体の、光学式データ記憶媒体記録／再生装置における利用に関するものである。
【背景技術】
【０００７】
本光学式データ記憶媒体の実施例は特開平11-066622号公報で知られている。光学式記録分野の市場に関して、最も重要でかつ将来性のある形式は1回書き込みができる形式の追記型コンパクトディスク(CD-R)であることは明らかである。長期的には、書き換え可能型コンパクトディスク(CD-RW)への重要性の継承が予想されてはいるが、CD-R媒体の実際の市場規模は今でも、CD-RWに比べて少なくとも1桁大きい。さらに装置にとって最も重要な特性はR-媒体への最高書き込み速度であって、RWの場合ではない。マウントレーニアでのCD-RWに対する標準規格化などにより、例えばCD-RWの市場への移行はまだ可能ではある。しかしながらR-形式はその100％の互換性が極めて魅力的であることを示している。
【０００８】
書き換え可能型デジタル多目的ディスク(DVD+RW)規格に続いて最近、新しい書き換え可能型デジタル多目的ディスク(DVD+R)規格が開発された。新しいDVD+R規格はDVD+RWを後押しする重要なものとして注目が集まっている。可能なシナリオとしては、最終消費者にとって光学式追記形式が身近なものとなり、消費者がこの形式を書き換え可能形式よりも容易に受け入れるようになることが考えられる。
【０００９】
R形式およびRW形式双方にとっての問題は単積層（スタック）媒体による容量制限およびこれによる記録時間である。DVDビデオ再生専用媒体(DVD-Video-ROM)の場合、2スタック媒体がかなりの市場占有率を有している。2スタックDVD+RWディスクは恐らく可能ではある。しかしながら、完全互換性ディスク、すなわち2スタックDVD-ROMの反射、補正、およびトラッキングの各特性との対応、を実現することは極めて難しいことが明らかになってきている。完全互換性がないと、DVD+Rのような2スタック追記形式の市場での成功は難しい。
【００１０】
前記光学式データ記憶媒体において、案内溝あるいはプリグルーブのトラックは透明基板内にらせん状溝を有しており、記録層は例えば有機色素の薄膜である。十分に高強度の集束レーザービームは記録層に光学的に検知可能な変化をもたらす。案内溝は光学式データ記憶媒体全表面に、通常はらせん状に伸びている。記録の間、この溝を用いて、集束レーザービームによって記録層上に形成された書き込み用レーザースポットの溝に対するラジアル位置が検出され、それによって書き込み用スポットのラジアル位置が補正できる。この結果、書き込み用ビームと光学式データ記憶媒体を相互に相対的に移動させる駆動ガイド機構にはそれ程厳格な要求が課されることはなく、記録装置に対し単純で安価な構成を利用することができる。
【００１１】
溝に対する書き込み用レーザースポットのラジアル位置は、いわゆる「プッシュプル」手段あるいは別の方法で検出される。この方法は光学式データ記憶媒体から反射したビームの光路に配置した2つの放射感応検出器を用いるものであり、検出器は反射されたビームを半径方向上の異なる位置で検出する。2つの検出器の出力信号間の差には溝に対するレーザースポットのラジアル位置についての情報が含まれている。出力信号が等しいとき、レーザースポットの中心は溝の中心または2つの隣接溝間の中央で焦点一致している。トラッキング差分法は溝の深さが以下のときにのみ、用いることができる。すなわち、溝から反射した放射線と溝の周辺部で反射した放射線との位相差が近似的に、
(1/2+n)π、ただしn=0または整数
で表されるときである。
【００１２】
この位相差は以下で与えられ、
△φ=‐4*π*n*g/λ
ここでgは溝深さ、nは基板の屈折率、λは用いられた放射の波長である。さらにトラッキング信号を最適化する場合、溝から反射した放射の振幅は溝の周辺部で反射した放射の振幅と等しくなければならない。
【００１３】
これらの要求は、薄い金属合金が真空成膜あるいはスパッタリング法で形成され、使用されるような、例えば書き換え可能型デジタル多目的ディスクの場合など、記録層が比較的薄い層であって、溝内部での厚さと溝同士の間の位置での厚さが等しいときに満たされる。
【００１４】
特定の色素からなる層は、プリグルーブ型の光学式データ記憶媒体基板上の記録層としての利用に特に適していることが知られている。そのような色素として例えばシアニン化合物があり、その化合物を含む溶液のスピンコートで基板表面に成膜できる。色素層をプリグルーブ型光学式データ記憶媒体基板に適用する場合、溝に部分的にあるいは完全に色素を満たし、溝位置での層の厚さdRGは一般に溝同士の間部分での厚さdRLよりも大きくする。溝同士間の部分は「陸部上」（on-land）とも呼ばれる。層の厚さのこの差異dRG-dRLの結果、溝部分で記録層から反射される放射と溝周辺部にある記録層から反射される放射間に付加的な位相差が生じる。この付加的な位相差はdRG=dRLの場合とは異なり、トラッキング差分信号を生じさせる。レベリングパラメータはLe=(dRG-dRL)/gで定義される。Le=1のとき溝は記録層によって完全に平坦化されており、これは基板と対向する記録層表面にはもはや溝構造が存在しないことを示す。このようなことが生じるのは溝が非常に狭い場合（dR≫g）である。しかしながら実際にはほとんどの場合、例えば追記型コンパクトディスク(CD-R)あるいは追記型DVD(DVD+R)ディスクでは、レベリングパラメータは0.2から0.5の範囲にある。例えば、典型的なDVD+Rの場合、溝深さは160nmであり、溝内の色素厚さは100nm、陸部での色素厚さは40nmであり、Le=(100-40)/160=0.375となる。色素が異なる技術的手段、例えば蒸着などによって形成される場合、レベリングは0に近くなる、すなわち陸部と溝内でほぼ同じ厚さとなることがある。
【００１５】
有機色素系の記録スタックにおいて、データが記録される色素体積が基板表面にある溝内に制約されるとき、記録過程は最適となる。通常の記録スタック、すなわち、CD-RあるいはDVD+Rディスクの場合、色素を制約する溝部分はレーザーがディスクに入射する面方向を向いている。反転スタックの場合、溝はレーザーの入射面と反対の方向を向いている。この場合、溝同士の間に位置する陸部分がレーザーの入射する面方向を向いている。このような反転スタック構造は例えば新しい追記型デジタルビデオ(DVR-R)ディスクに用いられ、青色波長バージョンの場合にはブルーレイディスク(BD)とも呼ばれている。マルチスタック設計の場合はLnの記号で表され、nは0または正の整数を表す。放射ビームが最後に到達するスタック、すなわち最深部スタックはL0と呼ばれ、各スタックは放射源に近い順にL1‥Lnで表される。従って2スタック設計の場合、例えば前記特許明細書から理解される2スタック追記型DVDディスクのように、2つのスタックL0およびL1が存在し、Ｌ0は「最底部」の記録層を、L1は「最上部」の記録層を表すことになる。この慣例はL0が放射源から最も近いスタックであるとき、先の表記法から逸脱することに留意する必要がある。ここでBDの明細書についてみると、この慣例は逆になっている。しかし、現在のすべての光学式ディスク装置（CD、DVD、DVR）はトラッキング補正を「溝上」（on-groove）で、すなわちレーザー光線ビームの入射面に最近接の案内溝構造部分でトラッキングと焦点制御を行っている。CDおよびDVDの場合、これは溝の底部でトラッキングおよび焦点制御を行うことを意味し、新しいDVRディスクの場合、これは溝同士間の陸部でトラッキングおよび焦点制御を行うことを意味する。DVD+Rの2スタックディスクおよびDVR-RディスクのL0スタックは反転されており、この場合、反射層は記録層と基板の間に存在し、レーザー光は例えば、被覆層（DVRの場合）あるいはスペーサ層（DVD+Rの2スタックの場合）のような透明層を介して入射する。しかしながら、スタックが反転されている場合、有機色素ディスクにおいては溝内記録、すなわち色素層が厚くなっているディスク部分で記録する形式が要求されるため、プッシュプル信号を反転しなければならない。一方DVRRWの場合、溝上記録が必要である。これはDVRシステムの場合、ラジアルトラッキングを、相変化型RW-媒体の場合の溝上処理と有機R-媒体の場合の溝内処理で切り替えなければならないことを意味する。同じことがDVD+Rの2スタック媒体におけるスタックL1からスタックL0の間に成り立つ。光学式記録装置の観点からはこれは極めて好ましくない状態である。どのタイプの層に、あるいはどのスタックレベルにアドレス処理させるかを検出するため、装置内に特別な機能を組み込まなければならないからである。旧型の装置はこの機能を有しておらず、従って、溝内記録形式が必要なディスクとは互換性がないことになる。
【特許文献１】特開平11‐066622号公報
【発明の開示】
【発明が解決しようとする課題】
【００１６】
本発明の課題は、前述のような、反転記録スタックを有し、標準の光学式記録装置が有する標準プッシュプル方法でトラッキング処理することが可能な光学式データ記憶媒体を提供することである。
【課題を解決するための手段】
【００１７】
本課題は本発明と一致する前述のような光学式データ記憶媒体であって、以下の要件を満たすことを特徴とする光学式データ記憶媒体によって実現することができる。
【００１８】
0.25/(3.0+kMλ2)+0.17＜g*nT/λ＜0.22/(3.0+kMλ2)+0.45
0.2＜(dRG-dRL)/g＜0.5
0＜dRG＜λ/nRλ
kRλ＜0.5
2＜nRλ＜2.6
本発明は、記録層の特定の厚さおよび屈折率を用いて特定の溝深さ範囲および特定の放射波長に対して、溝のプッシュプル信号を反転することを認識させることに関するものである。反転とはトラッキングの際の、溝のプッシュプル信号の勾配符号反転を意味する。この反転によってトラッキングの際、レーザースポットが溝から溝同士の間の部分へ、あるいはその逆の方向へ移行する。「通常」の場合と反転したプッシュプル信号の比較を示した図1にある反転の別の説明を参照されたい。プッシュプル符号反転には、通常の溝上のスタックをトラッキングする光学式ディスク装置で、溝内方式、すなわち上述したように、色素内の記録データの質を改良できる方式で、本発明による光学式データ記憶媒体上の反転スタックを自動的にトラッキングできるという利点がある。反射層はkMλ値（波長λでの複素屈折率の虚数部）という1つの変数のみによって特徴化される。この式は反射層が誘電体および金属双方の場合で変化する。案内溝は通常らせん状に形成され、ピッチpと、望ましくはpの0.3から0.7倍の範囲の平均幅wを有する。本発明は、溝上トラッキング形式の装置、例えばDVR-RあるいはBD-R、およびDVD+RあるいはBDの2スタック媒体のL0スタック、において必要となる溝内記録形式のいかなる反転記録スタックの場合も利用できる。プッシュプル信号は、Ｇ.  Bouwhuis,  J.  Braat,  A.  Huijser,  J.  Pasman,  G.  van  Rosmalen,  K.  Schouhamer  Immink,「Principles  of  Optical  Disc  Systems」,  Adam  Hilger  LTd,  Bristol,  1985年にあるようにスカラー回折計算で算出することができる。一般にプッシュプル信号は、案内溝の走査の間、レーザービームの反射光路にある2分割検出器の左右の検出器からの信号IRとILの差として得られる。光学ディスク規格において、プッシュプル信号は一般に正規化された変数PP=＜IR-IL＞/[IR+IL]として定義される。ここで式＜IR-IL＞はIR-ILの最大差を表し、[IR+IL]はレーザースポットが案内溝を横切り半径方向を外向きに移動するときのIR+ILの平均値を表す。このPPは（IR-IL）として表されるPP（斜字体）によって定義される未正規化プッシュプル信号とは異なることに留意する必要がある。典型的な「溝内」層厚さおよび記録層の光学定数に対する溝深さの関数として、反転スタックにおけるプッシュプルPP（斜字体）信号は、案内溝の深さgが請求項1に記載する特定の範囲にあって、請求項1に示された他の条件が満たされたとき、逆符号を示す。同様の結果が、異なる反射層材料の場合、あるいは保護層、妨害層、変形層、および放熱層の少なくとも１つが付加的に、色素の表面あるいは色素と反射層間に設けられた場合にも得られる。異なるトラックピッチおよび溝幅、または異なるトラックピッチもしくは溝幅はプッシュプルの振幅に影響を及ぼす可能性があるが、プッシュプル符号は無変化のまま残る。DVD+R規格によると溝の位相深さは90゜を超えてはならず、これは本計算上、通常スタックのプッシュプルが正であることを意味する。確かに、前述の典型的なDVD+R変数の場合、プッシュプルは正になることがわかる。通常スタックのプッシュプルとは対照的に反転スタックのプッシュプルは、溝深さが増大した場合、常に負の符号で始まることに留意する必要がある。これは反転スタック構造であることによる当然の結果である。Le=0の場��、反転スタックのプッシュプルは常に通常のスタックのプッシュプルと反対符号を持つ。
【００１９】
ある実施例において、反射層は厚さdM＞20nm、g*nT/λ＜0.50の金属層である。反射層がある金属層を有する場合、これがある最小厚さで高反射特性を示すことはよく認められる。金属は通常、1.5よりも大きなk値を持っている。適当な金属は例えば、Ag、Al、Cu、Auあるいはこれらの合金である。
【００２０】
別の実施例では0.25＜g*nT/λ、kMλ＜0.5である。kMλ＜0.5のとき、反射層は例えば、誘電体層である。この場合、要求条件はより簡単な式で表される。
【００２１】
別の実施例ではλは650から665nmの範囲から選択され、このλ値においてkRλ≦0.2である。現在のDVD+R(W)ディスクは全て650から665nmの波長を持つレーザービームで記録される。この場合、反転したプッシュプル信号の結果は、
0.5*dRG+42＜g＜0.5*dRG+125、
70＜dRG＜130
（単位：nm）であるときに得られる。100nm＜g＜160nmであることが好ましい。gがこの範囲にあるとき、プッシュプル信号振幅はDVD+R(W)規格の限界以内となる。
【００２２】
さらに別の実施例ではλは400から410nmの範囲から選択され、このλ値においてkRλ≦0.2である。次世代ディスク、例えばDVRあるいはBDでは、例えば400から410nmの波長を持つレーザービームを用いて記録および／または再生が行われる。この場合、反転プッシュプル信号の結果は、
0.5*dRG+20＜g＜0.75*dRG+95、
30＜dRG＜80
（単位：nm）のときに得られる。70nm＜g＜110nmであることが好ましい。
【００２３】
誘電体層はZnSとSiO2の混合物で構成されることがあり、例えば(ZnS)80(SiO2)20である。代替材料としては例えば、SiO2、TiO2、ZnS、AlNおよびTa2O5がある。金属反射層の場合、Al、Ti、Au、Ni、Cu、Ag、Cr、Mo、WおよびTaのような金属またはこれらの合金を用いることが可能である。
【００２４】
光学式データ記憶媒体の透明層は少なくともレーザー波長に対して透明である。典型的な例では基板はディスク型で直径120mm、厚さ0.1、0.6あるいは1.2mmである。基板は、レーザー光線ビームが基板の側面から反対の側面を介してスタックに入射したときには不透明であっても良い。後者の場合、スタックの金属反射層は基板と隣接している。これも反転スタックと称する。反転スタックは例えば、DVRあるいはBDディスクにも利用される。
【００２５】
案内溝は通常、らせん型溝によって構成され、射出成形あるいは圧縮の間にモールドすることによって、基板内あるいは透明層内に形成される。これらの溝は代替法としてスペーサ層の合成樹脂内に、例えば、UV重合アクリレートのレプリカ法で形成することができる。
【００２６】
スタックの最後方の層、すなわち反射層から最も遠い位置にある層は、第2の基板あるいは被覆層などの保護層で環境から遮断され、例えばポリカーボネート、ポリメチルメタクリレート(PMMA)、アモルファスポリオレフィンあるいはガラス、または例えばUV重合ポリ(メタ)アクリレートのような比較的厚い層で構成される。この保護層は良好な光学的性質を有していなければならず、レーザー光線が保護層を介して記録スタックに入射した際、実質上、光学収差がなく、実質上、厚さは均一である。DVRの場合、この被覆層は厚さ0.1mmである。
【００２７】
金属反射層および誘電体層の両方は、蒸着あるいはスパッタリングで得ることができる。高密度記録は短波長レーザー、例えば660nmあるいはこれ以下の（赤から青の）波長を利用することによって実現することができる。
【発明を実施するための最良の形態】
【００２８】
図1に基板表面にあるらせん状案内溝の一部分の断面を示す。グラフ2は、通常スタック構造の場合の集束レーザービームスポットが溝を横切って半径方向に走査する際の未正規化プッシュプル信号PPを表しており、通常スタックの場合、溝の底面1a、Ｇで示されており「溝」（groove）とも呼ぶ部分、はレーザー源10に最近接状態にある。溝の上面は1bで表わされ、Lで示される「陸部」（land）とも呼ぶ。グラフ3は反転スタック構造の場合の集束レーザービームスポットが溝を横切って半径方向に走査する際の未正規化プッシュプル信号PP（斜字体）を表しており、反転スタックの場合、溝の底面1aはレーザー源10’から最も遠い状態にある。通常、案内溝をトラッキングする光学式装置のサーボシステムは、溝上トラッキングが行われた場合、2’で示されるPP信号の負の勾配に合わされる。反転スタックの場合、レーザービームは矢印10’で示すように他の側から溝構造を走査するが、今度の場合、PP信号はグラフ3によって表わされ、光学式装置のサーボシステムは、PP信号の負の勾配3’に合わされるため、陸部上1bの案内溝をトラッキングすることになる。しかしながら、色素を有する反転スタックの場合、溝内トラッキングが好ましいため、PP信号の符号反転が必要となる。この反転はグラフ4に示されており、反転によって好ましい溝内トラッキングが実現し、サーボは負の勾配4’に合わされる。PP信号の反転は請求項1に記載の範囲まで案内溝1の深さを制限することで行われる。
【００２９】
図2には波長λの集束レーザービーム29を用いて記録する場合の光学式データ記憶媒体20（例えばDVD+R-DL）の断面概略図を示す。レーザービームは記録の間、媒体の入射面を介して入射する。媒体は深さgの案内溝を有する表面を持つ基板21を有する。基板上のスタック層L0は金属反射層24aを有し、これは例えば、Ag、Au、Cu、Alあるいはこれらの合金であり、複素屈折率
【００３０】
【数５】
2005515581.tif 000007
（=0.072-4.4i  波長655nmでのAgの場合）
を有する。反射層24aは基板表面24と隣接して存在するが、実質上は表面と一致する。透明層22は、記録の間、放射ビーム29が入射し通過する位置に存在し、波長λでの複素屈折率
【００３１】
【数６】
2005515581.tif 000008
がnTλ-i*kTλである材料で構成される。ただしnTは
【００３２】
【数７】
2005515581.tif 000009
の実数部をkTは虚数部を示す。記録層25は複素屈折率
【００３３】
【数８】
2005515581.tif 000010
がnRλ-i*kRλであり、溝内厚さdRG、溝同士の間の位置での厚さdRLを有し、反射層25と透明層22の間に設置される。波長λは655nmの値である。色素はアゾタイプのものであり、複素屈折率
【００３４】
【数９】
2005515581.tif 000011
は2.24-i*0.02である。溝内の色素層の厚さdRGは100nmである。溝の深さgは135nmである。透明保護層は記録層と透明スペーサ層22の間にあっても良い。
【００３５】
媒体20はさらに第2の基板23および半反射層26と色素タイプの記録層27を持つL0スタックを有する。L1スタックは通常スタックであり、反転されていないことに留意する必要がある。透明層22は、記録スタックを構成する、離れた位置にある2つのプリグルーブ基板21および23をつなげるスペーサ層である。このようなディスクの場合、L1スタックにおける色素充填溝はディスクのレーザー入射面方向に向かっており、L0スタックにおける色素充填溝はレーザー入射面28と反対方向を向いている。すなわちL0は反転記録スタックである。
【００３６】
図3において斜線部分31は色素の厚さdRGの関数としての好ましい溝深さ範囲を示している。ここでdRGは溝内の色素厚さである。図は放射ビーム波長が650から665nmまでの場合に対応している。色素は屈折率nRλ=2〜2.6であり、光吸収係数はkRλ＜0.2である。反射層24aはAgで構成され、複素屈折率は0.072-4.4iである。
【００３７】
図4には溝深さgの関数としてのプッシュプル信号PPの符号に対するモデル計算結果を示す。PP信号の符号は通常負であり、これは正の値はPP符号が反転していることを意味する。曲線41は反射層24a（図2参照）のkM値が0であるときの関係を示す。曲線48は反射層24a（図2参照）のkM値が10.0であるときの関係を示す。kMが中間の値であるときの他の曲線も示されている。kMが大きくなると、プッシュプル信号の符号が正となる範囲、すなわち反転された信号、が低い値にシフトすることがわかる。モデル計算では以下のように変数の設定を行った。
【００３８】
色素厚さdRG=75nm、nR=2.5、kR=0.05、反射層厚さ110nm、およびnM=1.4
波長λ=655nm、色素のレベリングL=0.40
図5において斜線部分51はPP符号の反転が生じたときの反射層のkM値の関数としての正規化した溝深さ範囲g*nT/λを示す。実際にはこの図は以下の式を視覚化したものである。
【００３９】
0.25/(3.0+kMλ2)+0.17＜g*nT/λ＜0.22/(3.0+kMλ2)+0.45
さらに以下の要件を満たす必要がある。
【００４０】
0.2＜(dRG-dRL)/g＜0.5、0＜dRG＜λ/nRλ、kRλ＜0.5、2＜nRλ＜2.6
上記の実施例は本発明を制限するものではなく、理解するためのものであって、優れた実施例によって、添付した特許請求の範囲の態様を逸脱しないで、多くの代替実施例を設計することが可能であることに留意する必要がある。特許請求の範囲におけるいかなる括弧書き内の参照番号も請求の範囲を制限するものとして構成されてはいない。
「有する」という言葉は、特許請求の範囲に記載した構成物やステップ以外の存在を排斥するものではない。「１つの」という構成物の前に付した言葉はその構成物が複数存在することを否定するものではない。ある手段が異なる従属請求項に相互に繰り返されていることは、これらの手段の組み合わせが優位性をもって使うことができないことを意味するものではない。
【００４１】
本発明による、集束放射ビームを用いて記録を行う光学式データ記憶媒体について記載した。波長λの放射ビームは記録の間、媒体の入射面を介して入射する。媒体は深さgの案内溝を有する表面を持つ基板を有する。反転スタック層が基板上に存在し、この基板は、複素屈折率
【００４２】
【数１０】
2005515581.tif 000012
がnMλ-i*kMλであり、基板表面と実質上一致する反射層と、放射ビームが入射する、複素屈折率
【００４３】
【数１１】
2005515581.tif 000013
がnTλ-i*kTλである透明層、ならびに溝内部での厚さがdRG、溝同士の間の位置での厚さがdRLであり、複素屈折率
【００４４】
【数１２】
2005515581.tif 000014
がnRλ-i*kRλである材料の記録層を有する。記録層は反射層24aと透明層の間に設置される。
【００４５】
0.25/(3.0+kMλ2)+0.17＜g*nT/λ＜0.22/(3.0+kMλ2)+0.45、および
0.2＜(dRG-dRL)/g＜0.5、0＜dRG＜λ/nRλ、kRλ＜0.5、2＜nRλ＜2.6
のとき、プッシュプルトラッキング信号の符号は反転する。このような方法により、光学式装置の補正をしなくても反転記録スタックが適正にトラッキングされ、逆方向の互換性が実現される。
【図面の簡単な説明】
【００４６】
【図１】案内溝形状に対する集束放射ビームスポットのラジアル位置の関数としてのプッシュプル信号を示す図である。
【図２】案内溝を持つ2つの分離した基板を有する2層追記型光学ディスク（例えばDVD+R-DL）の概略図である。
【図３】追記型DVDタイプの反転スタックにおいて溝内色素厚さの関数としての好ましい溝深さ範囲（斜線部）を示す図である。
【図４】反射層のkMの関数としてのプッシュプル信号のモデル計算された符号を示す図である。矢印はkM増大の効果を示す。
【図５】反射層のkM値の関数としての、反転スタックのプッシュプル反転信号に対する正規化された溝深さ範囲を示す図である。
【図１】
2005515581.tif 000022
【図２】
2005515581.tif 000023
【図３】
2005515581.tif 000024
【図４】
2005515581.tif 000025
【図５】
2005515581.tif 000026
【国際調査報告】
2005515581.tif 000027
2005515581.tif 000028
2005515581.tif 000029
2005515581.tif 000030